(57)【特許請求の範囲】
【請求項１】
警備システムにおいてセンサの検知信号の送信手段と受信機の間に設置される無線中継機であって、
無線信号を受信する受信部と、
無線信号を送信する送信部と、
受信した無線信号がセンサの検知信号の送信手段からの無線信号か他の無線中継機からの無線信号かを判定する判定部と、
センサの検知信号の送信手段からの無線信号又は他の無線中継機からの無線信号のいずれの無線信号であったときに、送信部から無線信号を送信するのかを設定する受信先切換部と、
受信部、送信部、判定部、受信先切換部と接続され、受信先切換部がセンサの検知信号の送信手段側に設定されているときには受信部がセンサの検知信号の送信手段から無線信号を受信したときのみ送信部から無線信号を送信させ、受信先切換部が無線中継機側に設定されているときには受信部が他の無線中継機から無線信号を受信したときのみ送信部から無線信号を送信させる制御部とを備えたことを特徴とする無線中継機。
【請求項２】
送信部は、センサの検知信号の送信手段からの無線信号に識別信号を付加して無線信号を送信し、それにより判定部がセンサの検知信号の送信手段からの無線信号と他の無線中継機からの無線信号を判定することを特徴とする請求項１記載の無線中継機。
【請求項３】
受信部が無線信号を受信してから送信部が無線信号を送信するまでの時間を２種類以上に設定することができる遅延時間切換部を備えたことを特徴とする請求項１または請求項２記載の無線中継機。
【発明の詳細な説明】
【０００１】
【発明の属する技術分野】
本発明は、異常を検知する各種センサを用いて所定の区域を警備する警備システムにおいて、センサの検知信号の送信手段と受信機との間に設置する無線中継機に関する。
【０００２】
【従来の技術】
従来、警備システムにおいては、侵入者や火災を検知するセンサなどの異常検知センサを警備エリアに設置しておき、センサがそれらを検知すると有線あるいは無線により警備エリア付近に設置してある受信機に検知信号を送信していた。また、警備システムの合理化のため、複数のセンサからの検知信号は一旦センサ送信機に送信するようにし、センサ送信機から受信機に検知信号を送信することもあった。そして、検知信号を受信した受信機は、その場でブザーやランプにより異常を報知したり、また遠隔の監視センタに警報を送信するようになっていた。
【０００３】
そして、そのような警備システムにおいて、配線工事の煩雑さを回避したり、また外観上の美観を保つ理由からも、センサあるいはセンサ送信機、すなわち、センサの検知信号の送信手段から受信機までは有線でなく無線で検知信号を送信することも多かった。その場合、センサの検知信号の送信手段から受信機までの距離が長いときや、間に遮へい物があるときは、無線中継機を設けるようにしていた。
【０００４】
【発明が解決しようとする課題】
しかし、２台以上の無線中継機を用いた場合、１つのセンサやセンサ送信機からの無線信号を２つ以上の無線中継機が受信していまい、もとは１つだった検知信号が２つ以上になってしまったり、無線中継機同士で無線信号の送受信が繰り返されてしまったり、また短時間での連続受信により受信機が無線信号を的確に処理できないことがあった。
【０００５】
また、通常、無線中継機の受信環境を表示する表示部は「可」「不可」の２の表示しかないため、受信環境に関してそれ以上の詳しいことがわからなかった。したがって、たとえば受信環境の試験を行ってぎりぎり「可」であった場合には、実際の運用時には何らかの影響で受信環境が「不可」となり、無線信号の送受信が行えないことがあった。
【０００６】
本発明はこれらの問題点を解決することを課題としてなされたものであり、センサからの信号を受信機に送信する際に複数の中継機を使用する場合にも無駄な無線信号が発生しないようにした無線中継機を提供することにある。
【０００７】
また、無線中継機の受信状態の良否をより詳細に表示することのできる表示部を備えた無線中継機を提供することにある。
【０００８】
【課題を解決するための手段】
上記課題は、本発明の以下の手段により解決される。
【０００９】
請求項１の発明は、警備システムにおいてセンサの検知信号の送信手段と受信機の間に設置される無線中継機であって、無線信号を受信する受信部と、無線信号を送信する送信部と、受信した無線信号がセンサの検知信号の送信手段からの無線信号か他の無線中継機からの無線信号かを判定する判定部と、センサの検知信号の送信手段からの無線信号又は他の無線中継機からの無線信号のいずれの無線信号であったときに、送信部から無線信号を送信するのかを設定する受信先切換部と、受信部、送信部、判定部、受信先切換部と接続され、受信先切換部がセンサの検知信号の送信手段側に設定されているときには受信部がセンサの検知信号の送信手段から無線信号を受信したときのみ送信部から無線信号を送信させ、受信先切換部が無線中継機側に設定されているときには受信部が他の無線中継機から無線信号を受信したときのみ送信部から無線信号を送信させる制御部とを備えたことを特徴とする無線中継機である。
【００１０】
本発明の無線中継機は、受信先切換部がセンサの検知信号の送信手段側に設定されているときには受信部がセンサの検知信号の送信手段側から無線信号を受信したときのみ送信部から無線信号を送信させ、受信先切換部が無線中継機側に設定されているときには受信部が他の無線中継機から無線信号を受信したときのみ送信部から無線信号を送信するように動作する。これにより、複数の無線中継機を使用してセンサからの信号を受信機に送信する場合にあっても、無線中継機がセンサからの信号と無線中継機からの信号とを重複して受信することを避けることができる。
【００１１】
請求項２の発明は、請求項１の発明において、送信部は、センサの検知信号の送信手段からの無線信号に識別信号を付加して無線信号を送信し、それにより判定部がセンサの検知信号の送信手段からの無線信号と他の無線中継機からの無線信号を判定することを特徴とする無線中継機である。
【００１２】
本発明においてはセンサの検知信号の送信手段からの無線信号に識別信号が付加され、この識別信号に基づいて判別部がセンサの検知信号の送信手段からの無線信号と他の無線中継機からの無線信号を判定を行う。
【００１３】
請求項３の発明は、請求項１又は請求項２記載の無線中継機において、受信部が無線信号を受信してから送信部が無線信号を送信するまでの時間を２種類以上に設定することができる遅延時間切換部を備えたことを特徴とする無線中継機である。
【００１４】
本発明においては、二つの無線中継機が信号を受信した場合においても、一方の無線中継機が時間を遅延させて送信することがでいるため、受信機側ではそれぞれを区別して受信することができる。
【００１７】
【発明の実施の形態】
以下、図面を用いて、本発明の実施例を説明する。
【００１８】
図１は、本発明の実施例に係る無線中継機の機能を示すブロック構成図である。無線中継機１は、制御部１１、受信部１２、送信部１３、第1表示部１４、第2表示部１５、受信先切換部１６、遅延時間切換部１７、記憶部１８、判定部１９を有している。
【００１９】
受信部１２はセンサの検知信号の送信手段（図示せず）から無線信号を受信する。なお、センサの検知信号の送信手段は、センサに内臓されているものであれば、センサ送信機のように１あるいは複数のセンサから検知信号が入力されると無線信号を送信するようなものもある。送信部１３は無線信号を送信する。第1表示部１４、第2表示部１５は、受信部１２での無線信号の受信の状態を示すためのものであり、それぞれ点灯、点滅のいずれかの状態をとる。
【００２０】
受信先切換部１６は、受信部１２で受信した無線信号が、センサの検知信号の送信手段からの無線信号か他の無線中継機からの無線信号かいずれの無線信号であったときに、送信部から無線信号を送信するかを設定する。
【００２１】
遅延時間切換部１７は、受信部が無線信号を受信してから送信部が無線信号を送信するまでの時間を２種類以上に設定する。記憶部１８は、センサの検知信号の送信手段、他の無線中継機が送信する無線信号のデータ内容などを記憶している。判定部１９は、受信した無線信号を記憶部１８に記憶された無線信号と照合することにより、それがセンサの検知信号の送信手段からの無線信号か他の無線中継機からの無線信号かを判定する。判定するために、無線中継機からの無線信号は、センサの検知信号の送信手段からの無線信号に識別信号が付加されたものとなっている。たとえば、センサの検知信号の送信手段からの無線信号のアドレスを００１と０９９とし、無線中継機からの無線信号は、その百の位の数字を０以外の数字に変えればよい（０１５→３１５など）。なお、識別信号はアドレス部分でなく、データ中の他の部分に付加してもよいことは言うまでもない。
【００２２】
制御部１１は、受信部１２、送信部１３、第1及び第2表示部１４、１５、受信先切換部１６、遅延時間切換部１７、記憶部１８、判定部１９と接続され、受信先切換部１６がセンサの検知信号の送信手段側に設定されているときには受信部１２がセンサの検知信号の送信手段から無線信号を受信したときのみ送信部１３から無線信号を送信させ、受信先切換部１６が無線中継機側に設定されているときには受信部１２が他の無線中継機から無線信号を受信したときのみ送信部１３から無線信号を送信させる。
【００２３】
図２は、本実施例の無線中継機を使用してセンサからの検知信号を送信するための警備システムを示し、一又は複数のセンサ又はセンサ送信機１０ｎと受信機３の間に２台の無線中継機１、無線中継機２を直列に設置した場合の模式図である。なお、無線中継機２は図1の無線中継機１と同じ構成のものである。また、受信機３は、警備エリア近傍に設置され、センサからの検知信号を受け、その場でブザーやランプで異常を報知したり、遠隔の監視センタに警報を送信するものである。
【００２４】
無線中継機１は、受信先切換部１６がセンサに設定されており、また遅延時間切換部１７は遅延時間なしに設定されている。無線中継機２は、受信先切換部１７が無線中継機に設定されており、また遅延時間切換部１７は遅延時間なしに設定されている。
【００２５】
図３は、センサと無線中継機を並列に設置した場合の模式図である。無線中継機１は、受信先切換部１６がセンサに設定されており、また遅延時間切換部１７は遅延時間なしに設定されている。無線中継機２は、受信先切換部１６がセンサに設定されており、また遅延時間切換部１７は遅延時間あり、ここでは１秒に設定されている。なお、この遅延時間は１秒でなくても、同一のセンサからの無線信号を無線中継機１、２が受信して受信機３に対して無線信号を送信してしまった場合に、受信機３が無線中継機１、２からの無線信号を連続して処理できるだけの余裕がある時間であればよい。すなわち、受信機３は２つ以上の無線信号をある一定の時間内に受信してしまうとそれらを処理できないことがあり、それを避けることができればよいのである。
【００２６】
図４は、無線中継機１における、受信部１２での無線信号の受信状況と第1及び第2表示部１４、１５の表示状態との関係を表す図である。
【００２７】
［実施例１］
図２の警備システムの動作について説明する。センサが出力した無線信号は、無線中継機１、無線中継機２を経由して受信機３に送信される。その場合、無線中継機２は、受信先切換部１６が無線中継機に設定されているため、センサ１０ｎからの無線信号を受信しても無線信号を送信しないため、無駄な無線信号が発生する恐れがない。また、無線中継機１は、受信先切換部１６がセンサに設定されているため、無線中継機１からの無線信号を受信しても無線信号を送信しないため、無駄な無線信号が発生する恐れがない。したがって、受信機３では、センサ１０ｎからの無線信号を必要な分だけ受信することができ、不要な無線信号による受信の失敗などが起こることがない。
【００２８】
また、受信先を切り換えるシンプルな構成としたことにより、操作が簡単で低コストのシステムを実現できる。
【００２９】
［実施例２］
図３の警備システムの動作について説明する。センサ１０ａが出力した無線信号は、無線中継機１を経由して受信機３に送信される。また、センサ１０ｂが出力した無線信号は、無線中継機２を経由して受信機３に送信される。その場合、無線中継機１は、受信先切換部１６がセンサに設定されており、無線中継機２からの無線信号を受信しても無線信号を送信しないため、無駄な無線信号が発生する恐れがない。また、無線中継機２は、受信先切換部１６がセンサに設定されているため、無線中継機１からの無線信号を受信しても無線信号を送信しないため、無駄な無線信号が発生する恐れがない。そして、無線中継機２は、遅延時間切換部１７が遅延時間ありに設定されているため、センサ１０ａやセンサ１０ｂからの無線信号を無線中継機１と無線中継機２の両方が受信しても受信機への無線信号はは時間差で送信されるため、受信機ではそれらの無線信号を処理することができる。
【００３０】
したがって、受信機では、センサからの無線信号を必要な分だけ受信することができ、不要な無線信号による受信の失敗などが起こることがない。
【００３１】
［実施例３］
図４は無線中継機１の第1表示部１４、第2表示部１５で表示される表示を説明する図である。無線中継機１の受信テスト行った場合、受信状況がまったく問題なかったときには「優」として、表示部１が点灯した後に表示部２が点灯するようにする。また、受信状況が一応大丈夫な場合は「良」として、表示部１が点滅した後に第1表示部１４が点灯するようにする。さらに、受信状況が問題あったときには「不可」として、第1表示部１４が点滅した後に第2表示部１５が点滅するようにする。また、妨害電波、すなわち外部からの電波を受信したときには、表示部１、２ともに同時点滅するようにする。これらのようにすれば、表示部が２つでも受信状況を３つ以上表現することができ、また点滅、点灯の組み合わせであることで、色も１色で済み、製造コストも安くなる。
【００３２】
なお、受信状況と第1及び第2表示部１４、１５との関係は本実施例に限定されるものではなく、特許請求の範囲の記載の趣旨を逸脱しない範囲で、種々の変更、変形が可能である。
【００３３】
【発明の効果】
上述の通り、請求項１記載の本発明によれば、受信先切換部がセンサあるいはセンサ送信機側に設定されているときには受信部がセンサあるいはセンサ送信機から無線信号を受信したときのみ送信部から無線信号を送信させ、受信先切換部が無線中継機側に設定されているときには受信部が他の無線中継機から無線信号を受信したときのみ送信部から無線信号を送信させることで、無駄な無線信号が発生せず、また受信機が受信ミスをすることがなくなる。そして、受信先を切り換えるシンプルな構成としたことにより、操作が簡単で低コストのシステムを実現できる。
【００３４】
また、請求項２の発明によれば、センサの検知信号の送信手段からの無線信号と他の無線中継機からの無線信号とが確実に区別して判定される。
【００３５】
また、請求項３記載の本発明によれば、受信部が無線信号を受信してから送信部が無線信号を送信するまでの時間を２種類以上に設定することができることで、複数の無線中継機が同一のセンサから無線信号を受信して無線信号を送信した場合でも受信機で受信ミスを起こすことがなくなる。
【図面の簡単な説明】
【図１】本願発明の無線中継機のブロック構成図である。
【図２】本願発明の無線中継機を使用した警備システムの一例を示す図である。
【図３】本願発明の無線中継機を使用した警備システムの他の例を示す図である。
【図４】無線中継機の表示部による表示状態を示す図である。
【符号の説明】
１、２  無線中継機
１２  受信部
１３  送信部
１４  第1表示部
１５  第2表示部
１６  受信先切換部
１７  遅延時間切換部
１８  記憶部
１９  判定部
３  受信機
【図１】
0003541161.tif 000002
【図２】
0003541161.tif 000003
【図３】
0003541161.tif 000004
【図４】
0003541161.tif 000005